(57)【要約】【課題】  ライニングユニットにおける前面パネルの取り付け構造において、着脱作業性の良いけんどん式でありながら、より構造を簡素化することを目的とする。【解決手段】  トイレ空間の壁面に面して収納空間を形成し、この収納空間に配管設備を収納するライニングユニットであって、前記ライニングユニットは、トイレルームに固定されるフレームと、該フレームの前面へ着脱可能に取り付けられる前面パネルとを備え、前記前面パネルの裏面上方には、前記フレームを下方から挟持するクリップが固定されており、前記前面パネルの裏面下方には、前記クリップが前記フレームを挟持した状態で、前記フレームに載置されて前記前面パネルの前後方向への移動を規制する係合部材が固定されていることを特徴とする。【選択図】  図４
2018168557.tif 000002
【特許請求の範囲】
【請求項１】
トイレ空間の壁面に面して収納空間を形成し、この収納空間に配管設備を収納するライニングユニットであって、
前記ライニングユニットは、トイレルームに固定されるフレームと、該フレームの前面へ着脱可能に取り付けられる前面パネルとを備え、
前記前面パネルの裏面上方には、前記フレームを下方から挟持するクリップが固定されており、前記前面パネルの裏面下方には、前記クリップが前記フレームを挟持した状態で、前記フレームに載置されて前記前面パネルの前後方向への移動を規制する係合部材が固定されていることを特徴とするライニングユニット。
【請求項２】
前記クリップは、前記前面パネルの裏面上方に固定された台座部材と、該台座部材に上方が開放されて取り付けられた可動片とを有し、該可動片と前記台座部材との間で前記フレームを挟持することを特徴とする請求項１記載のライニングユニット。
【請求項３】
前記係合部材は、前記前面パネルの裏面下方に固定された台座部材と、該台座部材に下方が開放されて取り付けられた可動片とを有し、該可動片の上端が前記フレームに載置されると共に、前記可動片と前記台座部材との間で前記フレームを挟持することを特徴とする請求項２記載のライニングユニット。
【発明の詳細な説明】
【技術分野】
【０００１】
本発明は、トイレ空間の壁面に面して収納空間を形成し、この収納空間に配管設備を収納するライニングユニットに関する。
【背景技術】
【０００２】
従来から、公共施設の複数の便器が連接される現場においては、便器と接続される給水配管や排水配管等の配管設備を収納し、その前面に便器を取り付けたライニングユニットが知られている。
このライニングユニットにおいては、トイレルームの壁面若しくは床面に固定されたフレームと、このフレームの前面および上面に配置される前面パネルと上面パネルとを備えており、その内部に配管設備の収納空間が形成されている。そして、ライニングユニットに収納された配管設備のメンテナンスを行えるように、前面パネルは着脱可能となっている。
【０００３】
この前面パネルの着脱構造として、例えば、特許文献１に記載されたような取り付け構造が知られている。この特許文献１に記載された前面パネルの取り付け構造においては、フレームの上端にクリップを設け、このクリップとフレーム前面との間で前面パネルの上端を挟み込むと共に、フレームの下端に載置部を設け、前面パネルの下端部を載置部に載置させた状態で係合させるけんどん式のパネル取り付け構造が記載されている。
【先行技術文献】
【特許文献】
【０００４】
【特許文献１】特開平８−２１８４７１号公報
【発明の概要】
【発明が解決しようとする課題】
【０００５】
特許文献１の記載された前面パネル取り付け構造は、けんどん式であるため着脱を容易に行うことができるものの、この特許文献１に記載された前面パネルの着脱構造においては、フレームの上端にクリップを設け、このクリップとフレーム前面との間で前面パネルの上端を挟み込む構造であり、クリップの前方を隠すために前垂れ部を設ける必要があるなど、構造が複雑であるといった課題があった。
本発明は、このような課題を解決するものであり、ライニングユニットにおける前面パネルの取り付け構造において、着脱作業性の良いけんどん式でありながら、より構造を簡素化することを目的とする。
【課題を解決するための手段】
【０００６】
上記の課題を解決するために、本発明においては、トイレ空間の壁面に面して収納空間を形成し、この収納空間に配管設備を収納するライニングユニットであって、前記ライニングユニットは、トイレルームに固定されるフレームと、該フレームの前面へ着脱可能に取り付けられる前面パネルとを備え、前記前面パネルの裏面上方には、前記フレームを下方から挟持するクリップが固定されており、前記前面パネルの裏面下方には、前記クリップが前記フレームを挟持した状態で、前記フレームに載置されて前記前面パネルの前後方向への移動を規制する係合部材が固定されていることを特徴とする。
【０００７】
このように構成されたライニングユニットにおいては、前面パネルをけんどん式に着脱することができ作業性が良く、また、前面パネルを装着した状態では、クリップや係合部材が前面パネルによって隠れるため、これらを隠蔽するための部材を設ける必要がないため、構成を簡素化することができる。
【０００８】
また、本発明において好ましくは、前記クリップは、前記前面パネルの裏面上方に固定された台座部材と、該台座部材に上方が開放されて取り付けられた可動片とを有し、該可動片と前記台座部材との間で前記フレームを挟持することを特徴とする。
【０００９】
このように構成されたライニングユニットにおいては、台座部材と可動片とによってフレームを挟持した状態で、前面パネルの裏面とフレーム表面との間に台座部材によって隙間が形成される。そのため、簡単な構成でありながら前面パネルがフレーム表面に当接しない状態で前面パネルを斜めに傾けることができ、前面パネルの着脱作業性を良くすることができる。
【００１０】
また、本発明において好ましくは、前記係合部材は、前記前面パネルの裏面下方に固定された台座部材と、該台座部材に下方が開放されて取り付けられた可動片とを有し、該可動片の上端が前記フレームに載置されると共に、前記可動片と前記台座部材との間で前記フレームを挟持することを特徴とする。
【００１１】
このように構成されたライニングユニットにおいては、前面パネルの下方でフレームを挟持することができるため、前面パネルを装着した状態でのガタつきを抑えることができる。
【発明の効果】
【００１２】
本発明によれば、前面パネルをけんどん式に着脱することができ作業性が良く、また、前面パネルを装着した状態では、クリップや係合部材が前面パネルによって隠れるため、これらを隠蔽するための部材を設ける必要がないため、構成を簡素化することができる。
【図面の簡単な説明】
【００１３】
【図１】本発明の実施形態に係わるライニングユニットの斜視図。
【図２】図１のライニングユニットの分解斜視図。
【図３】本発明の実施形態に係わる前面パネルの裏面斜視図。
【図４】図１のＡ−Ａ線における前面パネルの着脱構造を示す断面図。
【図５】図４の上部拡大図。
【図６】図４の下部拡大図。
【発明を実施するための形態】
【００１４】
本発明の実施形態に係わるライニングユニットについて、図面を用いて説明する。
図１は、本発明の実施形態に係わるライニングユニットの斜視図であり、図２は、図１のライニングユニットの分解斜視図である。なお、これら図１および図２においては、ライニングユニットに小便器を設置した状態を示している。
【００１５】
この図１および図２に示すように、本発明の実施形態に係わるライニングユニット１は、前面に衛生設備機器として２つの小便器３が設置されている。ライニングユニット１は、直方体形状のフレーム枠５と、このフレーム枠５の前方側の面である前面へ着脱可能に取り付けられる前面パネル７と、フレーム枠５の上方側の面である上面を覆う天板９とから構成されている。ライニングユニット１の後方側および左右の側方側は、トイレ空間を形成しているトイレルームの壁面に接しており、このトイレルームの壁面と、前面パネル７及び天板９とによって、フレーム枠５の内部は収納空間１１となっており、この収納空間１１には小便器３に接続された配管設備１３が収納されている。
【００１６】
なお、本明細書において、フレーム枠５に対して小便器３が設置されている側を前方と称し、この前方と反対のトイレルーム壁面側を後方と称し、鉛直方向上側と下側をそれぞれ上方、下方と称し、小便器３側から見て左側を左方、右側を右方と称して説明を行う。
また、前面パネル７や天板９において、露出した面を表面と称して説明を行う。
【００１７】
ライニングユニット１について更に詳しく説明する。フレーム枠５は、断面Ｌ字形状の金属製長尺材が、上下、左右、前後方向に結合された直方体形状の枠体である。このフレーム枠５はトイレルームの床面及び後方壁面にビス（図示せず）によって固定される。また、フレーム枠５には、小便器３を固定するための金属製のブラケット（図示せず）が溶接されており、このブラケット（図示せず）に小便器３の後端が固定されている。
【００１８】
フレーム枠５の内部の収納空間１１には、小便器３と繋がる配管設備１３として、給水配管１３ａと、排水配管１３ｂとが収納されている。給水配管１３ａは、給水源と水小便器３の洗浄水タンク（図示せず）とを繋いだ配管であり、小便器３を洗浄するための洗浄水を洗浄水タンクへ供給する。排水配管１３ｂは、小便器３と建物の排水本管（図示せず）とを繋いだ配管であり、小便器３の排水口（図示せず）と排水ソケット（図示せず）を介して接続され、小便器３から排出された汚物混じりの洗浄水を排水本管へと排出する。
【００１９】
また、フレーム枠５の前面には、その上端および下端のそれぞれに、上板１７と下板１９とが夫々固定されている。この上板１７と下板１９とは金属製であり、ビス止めによってフレーム枠５に固定されている。このように、本実施形態においては、フレーム枠５と、これに固定されたブラケット１５、上板１７、下板１９によってフレームが構成されている。前面パネル７は、フレームを構成する上板１７と下板１９に対して着脱自在となっており、前面パネル７を取り外して、配管設備１３のメンテナンスを行うことができる。
【００２０】
ここで、前面パネルについて詳しく説明する。図３は、本発明の実施形態に係わる前面パネルの裏面斜視図である。
この図３に示すように、前面パネル７の裏面上方には、フレームを構成する上板１７を下方から挟持する上方クリップ２１が固定されており、前面パネル７の裏面下方には、上方クリップ２１が上板１７を挟持した状態で、下板１９に載置されて前面パネル７の前後方向への移動を規制する係合部材として下方クリップ２３が固定されている。
【００２１】
次に、前面パネル７の着脱動作について図４〜図６に基づいて説明する。図４は、図１のＡ−Ａ線における前面パネルの着脱構造を示す断面図であり、図５は、図４の上部拡大図であり、図６は、図４の下部拡大図である。なお、これら図４〜図６において、（ａ）〜（ｃ）は夫々同じ状態を示しており、（ａ）は前面パネル７の装着開始状態を示し、（ｂ）は前面パネル７の装着途中状態を示し、（ｃ）は前面パネル７の装着完了状態を示している。
【００２２】
前面パネル７をフレームに対して装着するためには、図４および図５の（ａ）に示すように、前面パネル７を後傾させて斜め上方に持ち上げるようにして、前面パネル７の裏面上方に固定されている上方クリップ２１によって、上板１７を下方から挟持する。
なお、上方クリップ２１は、前面パネル７の裏面上方に固定された台座部材２１ａと、この台座部材２１ａに上方が開放されて取り付けられた可動片２１ｂとから形成されており、この可動片２１ｂと台座部材２１ａとの間で上板１７を挟持するように構成さている。
【００２３】
次に、上方クリップ２１の台座部材２１ａと可動片２１ｂとの間で上板１７を挟持している状態で、上板１７の下端に上方クリップ２１の可動片の下端とが当接するように持ち上げる、そして、下方クリップ２３と下板１９上端とが対向するように、前面パネル７の下方を後方へ移動させて、前面パネル７を直立状態とする（図４〜図６の（ｂ）参照）。
【００２４】
その後、図４〜図６の（ｃ）に示すように、前面パネル７を下降させ、下方クリップ２３によって下板１９を挟持すると共に下方クリップ２３が下板１９の上端に載置されるようにする。なお、このとき上方クリップ２１は上板１７を挟持している状態を維持している、
なお、下方クリップ２３は、前面パネル７の裏面下方に固定された台座部材２３ａと、この台座部材２３ａに下方が開放されて取り付けられた可動片２３ｂとから形成されており、この可動片２３ｂの上端が下板１９の上端に載置されると共に、可動片２３ｂと台座部材２３ａとの間で下板１９を挟持するように構成されている。
【００２５】
従って、図４〜図６の（ｃ）の状態においては、前面パネル７の上方および下方の両方において、上方クリップ２１が上板１７を、下方クリップ２３が下板１９をそれぞれ挟持されて前後方向への移動が規制され、また、下方クリップ２３が下板１９に載置されることで上下方向の位置も規制され、それによって前面パネル７がフレームの所定位置に装着された状態となる。なお、前面パネル７をフレームから離脱させる（取り外す）には、装着時は逆の動作を行えばよい。
【００２６】
上板１７の下端から下板１９の上端までの距離をＬ１，前面パネル７の上方クリップ２１の可動片２１ｂの上端から下方クリップ２３の可動片２３ｂの下端までの距離をＬ２とすると、Ｌ１＜Ｌ２である。
また、上方クリップ２１の可動片２１ｂの上端から下端までの長さ、即ち、上方クリップ２１が上板１７を挟持した状態での上下方向への移動可能長さをＬ３、下方クリップ２３の可動片２３ｂの上端から下端までの長さ、即ち、下方クリップ２３が下板１９を挟持した状態での上下方向への移動可能長さをＬ４とすると、Ｌ３＞Ｌ４であり、しかも、（Ｌ２−Ｌ３）＜Ｌ１および（Ｌ２−Ｌ４）＞Ｌ１という条件が成立している。
【００２７】
以上説明したライニングユニット１においては、前面パネル７をけんどん式に着脱することができるため、着脱の作業性が良く、また、前面パネル７を装着した状態では、上方クリップ２１や下方クリップ２３が前面パネル７によって隠れるため、これらを隠蔽するための部材を設ける必要がないため、構成が簡素である。
【００２８】
また、ライニングユニット１は、上方クリップ２１と下方クリップ２３とが、台座部材２１ａ，２３ａと可動片２１ｂ、２３ｂとによって上板１７または下板１９を挟持する構成であるため、前面パネル７の裏面と上板１７または下板１９表面との間に台座部材２１ａ，２３ａによって隙間が形成される。そのため、簡単な構成でありながら前面パネル７が上板１７または下板１９の表面に当接しない状態で前面パネルを斜めに傾けることができ、前面パネル７の着脱作業性を良くすることができる。
また、前面パネル７の上下を上方クリップ２１および下方クリップ２３の両方で挟持するため、前面パネル７を装着した状態でのガタつきを抑えることができる。
【００２９】
以上、本発明の実施の形態について説明した。しかし、本発明はこの記述に限定されるものではない。前述の実施の形態に関して、当業者が適宜設計変更を加えたものも、本発明の特徴を備えている限り、本発明の範囲に包含される。
例えば、上方クリップ２１と下方クリップ２３とは、夫々上板１７および下板１９を挟持するものであったが、フレーム枠５を挟持するものであってもよい。
また、前面パネル７の下方をフレームに取り付ける係合部材としては、台座部材２３ａと可動片２３ｂとから成る下方フック２３に代えて、下板１９の上端に嵌るフック形状の係合部材であってもよい。
【符号の説明】
【００３０】
１…ライニングユニット
３…小便器
５…フレーム枠
７…前面パネル
９…天板
１１…収納空間
１３…配管設備
１７…上板
１９…下板
２１…上方クリップ
２１ａ…台座部材
２１ｂ…可動片
２３…下方クリップ（係合部材）
２３ａ…台座部材
２３ｂ…可動片
【図１】
2018168557.tif 000003
【図２】
2018168557.tif 000004
【図３】
2018168557.tif 000005
【図４】
2018168557.tif 000006
【図５】
2018168557.tif 000007
【図６】
2018168557.tif 000008